(57)【要約】【課題】コンクリートスラブに設けられた仮の開口に対する保護をより一層高め得る養生蓋を提供すること。【解決手段】養生蓋（１０）は、仮の開口（１４）が設けられたコンクリートスラブ（１２）上に配置される開口（２０）を有する枠部材（１８）を備える。枠部材の開口の周縁は仮の開口の周縁に沿って伸びている。養生蓋は、また、枠部材に揺動可能に取り付けられ互いに重なり合った水平な状態及び直立した状態でそれぞれ枠部材の開口を閉じ及び開く２つの外フラップ（２２）及び２つの内フラップ（２４）と、枠部材に取り付けられた、２つの外フラップ及び２つの内フラップを水平に支持するための複数の支持部材（２６）と、２つの外フラップ及び２つの内フラップに取り付けられた複数の案内部材（２８）とを備える。案内部材は仮の開口を通して昇降される運搬かごに対する案内作用をなす。【選択図】図３
2019124099.tif 000002
【特許請求の範囲】
【請求項１】
仮の開口が設けられたコンクリートスラブ上に配置される、開口を有する枠部材であって該枠部材の開口の周縁が前記仮の開口の周縁に沿って伸びる枠部材と、
前記枠部材に揺動可能に取り付けられ互いに重なり合った水平な状態及び直立した状態でそれぞれ前記枠部材の開口を閉じ及び開く２つの外フラップ及び２つの内フラップと、
前記枠部材に取り付けられた、前記２つの外フラップ及び前記２つの内フラップを水平に支持するための複数の支持部材と、
前記２つの外フラップ及び前記２つの内フラップに取り付けられた複数の案内部材であって前記仮の開口を通して昇降される運搬かごに対する案内作用をなす複数の案内部材とを備える、養生蓋。
【請求項２】
前記枠部材の開口の周縁は前記仮の開口の内方へ張り出している、請求項１に記載の養生蓋。
【請求項３】
前記２つの外フラップ及び前記２つの内フラップは前記２つの内フラップを下にして重なり合う、請求項１又は２に記載の養生蓋。
【請求項４】
互いに重なり合った水平な状態の前記２つの外フラップ及び前記２つの内フラップは、それぞれ、前記枠部材の開口の全部及び一部を覆う、請求項３に記載の養生蓋。
【請求項５】
前記複数の案内部材は、前記２つの外フラップ及び前記２つの内フラップが前記直立した状態で見て、前記２つの外フラップに取り付けられ対をなして対向する２つの案内部材と、前記２つの内フラップに取り付けられ対をなして対向する２つの案内部材とを含み、
前記２つの外フラップに取り付けられた対をなす２つの案内部材と、前記２つの内フラップに取り付けられた対をなす２つの案内部材とは、それぞれ、互いに上方及び下方に向けて末広がりに伸びるテーパ状の上下の先端部を有する、請求項１〜４のいずれか１項に記載の養生蓋。
【請求項６】
各案内部材は直列に配置された一のレール及び他のレールからなり、前記一のレールに対して前記他のレールが折り畳み可能である、請求項１〜５のいずれか１項に記載の養生蓋。
【発明の詳細な説明】
【技術分野】
【０００１】
本発明は、建設途上にあるコンクリート建築物の床スラブ（コンクリートスラブ）に形成された仮の開口に適用される養生蓋に関する。
【背景技術】
【０００２】
従来、コンクリートスラブ上に配置され仮の開口の周囲を取り囲む開口を有する枠部材と、該枠部材に揺動可能に取り付けられた互いに相対する２つのフラップとを備え、２つのフラップが水平な状態及び直立した状態でそれぞれ前記枠部材の開口を閉じ及び開く養生蓋が提案されている（後記特許文献１参照）。
【０００３】
これによれば、２つのフラップを水平状態にして前記枠部材の開口を閉鎖することにより、前記養生蓋が設置された階のコンクリートスラブ上での作業や移動時おける前記前記仮の開口からの作業者や物の落下を防止することができる。また、２つのフラップを直立状態にして前記枠部材の開口を開放することにより開放状態におかれる前記仮の開口を通して、例えば下階の梁や床スラブの形成に使用された支保工のような仮設材を運搬かごに載せて形成予定の上階に向けて移送することができる。
【０００４】
ところで、前記従来の養生蓋にあっては、前記仮の開口を通して移送される物あるいはその運搬かごが不注意や揺れのために前記仮の開口の周縁に当たり損傷を与えるおそれがあり、前記仮の開口の保護の点で十分でない。
【先行技術文献】
【特許文献】
【０００５】
【特許文献１】実開平５−１７００５号公報
【発明の概要】
【発明が解決しようとする課題】
【０００６】
本発明は、前記従来の事情に鑑み、コンクリートスラブに設けられた仮の開口に対する保護をより一層高め得る養生蓋を提供することにある。
【課題を解決するための手段】
【０００７】
本発明に係る養生蓋は、仮の開口が設けられたコンクリートスラブ上に配置される、開口を有し該開口の周縁が前記仮の開口の周縁に沿って伸びる枠部材と、該枠部材に揺動可能に取り付けられ互いに重なり合う水平な状態及び直立した状態でそれぞれ前記枠部材の開口を閉じ及び開く２つの外フラップ及び２つの内フラップと、前記枠部材に取り付けられ前記２つの外フラップ及び前記２つの内フラップを水平に支持する複数の支持部材と、前記２つの外フラップ及び前記２つの内フラップに取り付けられた複数の案内部材であって前記仮の開口を通して昇降される運搬かごに対する案内作用をなす複数の案内部材とを備える。
【０００８】
本発明によれば、２つの外フラップと２つの内フラップとを水平状態におくことにより前記コンクリートスラブの仮の開口を閉鎖状態におくことができ、これにより前記仮の開口からの作業者や物の落下に伴う不慮の事故の発生を防止することができる。また、前記２つの外フラップと前記２つの内フラップとを直立状態におくことにより前記コンクリートスラブの仮の開口を開放状態におくことができる。このとき、直立状態におかれた前記２つの外フラップ及び前記２つの内フラップが前記仮の開口の周りに囲いを作り、前記仮の開口への接近及びこれに伴う落下等の不慮の事故の発生が未然に防止される。また、これにより、前記仮の開口及び前記枠部材の開口を通して昇降される例えば支保工のような仮設材を載せた運搬かごに対する接触事故の発生を防止することができる。
【０００９】
本発明にあっては、前記２つの外フラップ及び前記２つの内フラップに前記運搬かごに対する案内作用をなす複数の案内部材が取り付けられている。このことから、前記仮の開口を前記運搬かごが通過するときの前記仮の開口の周縁に対する前記運搬かごの接触を防止し、また、前記運搬かごの揺れを最小限に抑えることができる。これにより、前記仮の開口の周縁に対する保護の程度をより一層高めることができる。
【００１０】
好ましくは、前記枠部材の開口の周縁が前記仮の開口の内方へ張り出している。これによれば、前記仮の開口の周縁と、該仮の開口を通過する前記運搬かごとの間に間隔を置くことができ、これにより、前記仮の開口の周縁に対する前記運搬かごの接触の可能性をより低減することができる。
【００１１】
前記２つの外フラップ及び前記２つの内フラップは前記２つの内フラップを下にして重なり合うものとすることができる。また、互いに重なり合った水平な状態の前記２つの外フラップ及び前記２つの内フラップは、それぞれ、前記枠部材の開口の全部及び一部を覆うものとすることできる。
【００１２】
前記複数の案内部材は、前記２つの外フラップ及び前記２つの内フラップが直立した状態で見て、前記２つの外フラップに取り付けられ対をなして対向する２つの案内部材と、前記２つの内フラップに取り付けられ対をなして対向する２つの案内部材とを含み、前記２つの外フラップに取り付けられた対をなす２つの案内部材と、前記２つの内フラップに取り付けられた対をなす２つの案内部材とが、それぞれ、互いに上方及び下方に向けて末広がりに伸びるテーパ状の上下の先端部を有するものとすることができる。これによれば、昇降する運搬かごの複数の案内部材間への受け入れをより容易にすることができる。
【００１３】
各案内部材は直列に配置された一のレール及び他のレールからなるものとし、かつ、前記一のレールに対して前記他のレールを折り畳み可能とすることができる。
【図面の簡単な説明】
【００１４】
【図１】２つの外フラップ及び２つの内フラップが互いに重ね合わされた状態にある養生蓋の上方から見た斜視図である。
【図２】２つの外フラップ及び２つの内フラップの内うちの２つの外フラップが直立した状態におかれた養生蓋の上方から見た斜視図である。
【図３】２つの外フラップ及び２つの内フラップの双方が直立した状態におかれた養生蓋の上方から見た斜視図である。
【図４】２つの外フラップ及び２つの内フラップの双方が直立した状態におかれた養生蓋の下方から見た斜視図である。
【図５】２つの外フラップ及び２つの内フラップが互いに重ね合わされた状態にある養生蓋の平面図である。
【図６】２つの外フラップ及び２つの内フラップが互いに重ね合わされた状態にある養生蓋の底面図である。
【図７】２つの外フラップ及び２つの内フラップの双方が直立した状態におかれた養生蓋を概略的に示す断面図である。
【図８】運搬かごの一例を示す斜視図である。
【発明を実施するための形態】
【００１５】
図１〜図７を参照すると、本発明の実施形態に係る養生蓋が全体に符号１０で示されている。
【００１６】
養生蓋１０は、建設途上にあるコンクリート建築物の床スラブ（コンクリートスラブ）１２（図７）に形成された仮の開口１４（図７）の養生のために床スラブ１２上に設置される。図示の仮の開口１４は矩形（具体的には一対の長辺及び一対の短辺を有する長方形）の平面形状を有する。仮の開口１４は、主として、該仮の開口を通して運搬かご１６（図８参照）を昇降するために設けられている。運搬かご１６を介して、例えば前記コンクリート建築物の下階の梁や床スラブの形成に使用された支保工のような仮設材（図示せず）が形成予定の上階に向けて移送される。
【００１７】
養生蓋１０は、開口２０（図２〜図５）を有する枠部材１８と、２つの外フラップ２２及び２つの内フラップ２４と、これらのフラップ２２、２４を水平に支持するための複数の支持部材２６と、運搬かご１６に対して案内作用を及ぼすための複数の案内部材２８とを備える。
【００１８】
図示の枠部材１８は板状を呈し、また、共に矩形状を呈する内周縁１８ａ及び外周縁１８ｂを有する。枠部材１８の内周縁１８ａは開口２０の周縁をなす。図示の例において、枠部材１８の開口２０は矩形状を呈し、床スラブ１２の仮の開口１４より小さい大きさを有する。
【００１９】
養生蓋１０が床スラブ１２上に設置されるとき、枠部材１８はその内周縁１８ａとその外周縁１８ｂとの間の部分において床スラブ１２上に支持される。このとき、枠部材１８の内周縁１８ａである開口２０の周縁が、床スラブ１２の仮の開口１４の内方へ張り出しかつ仮の開口１４の周縁に沿って伸びる。運搬かご１６は、枠部材１８の開口２０を通過可能であるように、開口２０よりわずかに小さい矩形の横断面形状を有するものとされている。また、この例にあっては、床スラブ１２の仮の開口１４の周縁と枠部材１８の開口２０の周縁との間には間隔が存する。このことから、昇降時における運搬かご１６の仮の開口１４の周縁に対する接触の可能性が低減される。なお、枠部材１８の開口２０は、図示の例に代えて、床スラブ１２の仮の開口１４と同じ大きさ又はこれより大きい大きさを有するものとすることが可能である。
【００２０】
枠部材１８は、また、養生蓋１０の設置時においてそれぞれ上方及び下方を向く上面１８ｃ及び下面１８ｄ（図４、図６）を有する。図示の枠部材１８は板状のリブ３０（図４）で補強されている。リブ３０は、枠部材１８の下面１８ｄにこれと直交するように配置されかつ固定され開口２０の周囲を矩形状に伸びている。また、リブ３０は、養生蓋１０の設置時、床スラブ１２の仮の開口１４内に受け入れられる大きさを有する。このことから、リブ３０は、床スラブ１２上に載置された枠部材１８が外力を受けて水平方向へ移動するとき、床スラブ１２の仮の開口１４の周縁に当たり、枠部材１８の水平移動を制限するストッパの働きをなす。
【００２１】
図示の２つの外フラップ２２は、枠部材１８の開口２０に嵌合し、開口２０のほぼ全部を覆うことが可能である２つの同一の矩形の板体からなる。２つの外フラップ２２は枠部材１８にその上面１８ｃにおいて複数の蝶番３２を介して取り付けられている。これにより、２つの外フラップ２２は、それぞれ、開口２０の平面形状である前記矩形の互いに相対する一対の長辺の周りに揺動可能とされている。このことから、２つの外フラップ２２は、開口２０内における水平な状態と、該水平な状態から開口２０外に揺動された後の直立した状態とを取り得る。
【００２２】
他方、２つの内フラップ２４は、それぞれ、枠部材１８下にあって２つの外フラップ２２にこれらの下方において重なり合う２つの同一の矩形の板体からなる。これらの２つの板体は、それぞれ、２つの外フラップ２２を構成する前記２つの板体の大きさより小さく、開口２０の一部を覆うことが可能である。２つの内フラップ２４は枠部材１８にその下面１８ｄにおいて複数の蝶番３２を介して取り付けられている。これにより、２つの内フラップ２４は、それぞれ、開口２０の平面形状である前記矩形の互いに相対する一対の短辺の周りに揺動可能とされている。このことから、２つの内フラップ２４は、開口２０下における水平な状態と、該水平な状態から開口２０内を経て開口２０外へと揺動された後の直立した状態とを取り得る。なお、図示の例では、２つの外フラップ２２及び２つの内フラップ２４の双方が直立した状態で見て、これらのフラップ２２、２４の上端が同一のレベルとなるように、内フラップ２４の上下方向長さが調整されている。
【００２３】
２つの外フラップ２２及び２つの内フラップ２４を水平に支持するための複数の支持部材２６はリブ３０に固定された２対の板片からなる。前記２対の板片はそれぞれ枠部材１８の開口２０の平面形状である前記矩形の両長辺の側に互いに間隔をおいて配置され、前記矩形の短辺の伸長方向へ伸びかつ互いに相対している。これによれば、支持部材２６を構成する各対の板片が直接各内フラップ２４を該内フラップの先端部近傍において水平に支持し、また、２つの内フラップ２４が間接的にこれらの内フラップ２４上に重なる２つの外フラップ２２を水平に支持する。支持部材２６は、これをリブ３０に固定する図示の例に代えて、枠部材１８に固定し、あるいは、枠部材１８及びリブ３０の双方に固定することができる。
【００２４】
２つの外フラップ２２と２つの内フラップ２４とが前記水平な状態におかれるとき、枠部材１８の開口２０、したがって床スラブ１２の仮の開口１４が閉じられる。これにより、床スラブ１２上での作業や移動時における作業者や物の下階への落下防止に関する安全性が図られる。他方、２つの外フラップ２２と２つの内フラップ２４とがこれらを揺動させることにより前記水平な状態から前記直立な状態におかれるとき、枠部材１８の開口２０、したがって床スラブ１２の仮の開口１４が開放状態におかれる。これにより、仮の開口１４を通しての運搬かご１６の昇降作業を行うことができる。共に直立する２つの外フラップ２２及び２つの内フラップ２４は、共同して、床スラブ１２上に角筒状の空間を規定する囲いをなす。
【００２５】
養生蓋１０は、さらに、２つの外フラップ２２及び２つの内フラップ２４を前記直立した状態に維持するための手段（直立状態維持手段）を備えるものとすることができる。前記直立状態維持手段は、例えば、前記２つの外フラップ２２及び２つの内フラップ２４の双方が直立した状態にある図３で見て、これらのフラップ２２、２４に取り付けられた４対の筒状部材３４、３６と、４つの頭付ピン３７とからなる。４対の筒状部材３４、３６は、直立した状態にある２つの外フラップ２２及び２つの内フラップ２４の双方が規定する前記角筒状の空間の四隅にそれぞれ位置する。各対の筒状部材３４、３６は軸線（図示せず）を共通にして上下方向へ伸びかつ互いに近接している。また、各頭付ピン３７は、各対の筒状部材３４、３６の全長、すなわち各対における一方の筒状部材３４の長さ及び他方の筒状部材３６の長さの和以上の長さ、及び、各対の筒状部材３４、３６に挿通可能である太さを有する。図示の例において、筒状部材３４及び筒状部材３６はそれぞれ外フラップ２２及び内フラップ２４に取り付けられ、筒状部材３４が筒状部材３６の上方に位置する。但し、図示の例に代えて、筒状部材３４を筒状部材３６の下方に配置することは任意である。
【００２６】
これによれば、直立した状態におかれた各外フラップ２２及びこれに隣接する各内フラップ２４における各対の筒状部材３４、３６に、各頭付ピン３７に挿し通すことにより、これらのフラップ２２、２４の前記揺動を制限し、２つの外フラップ２２及び２つの内フラップ２４を直立した状態に維持することができる。各対の筒状部材３４、３６への各頭付ピン３７の挿通は、直立したフラップ２２、２４の上方から、手作業で、行うことができる。各フラップ２２、２４の揺動制限は、挿通された各頭付ピン３７を各対の筒部材３４、３６から引き抜くことにより解除することができる。
【００２７】
運搬かご１６は、２つの外フラップ２２及び２つの内フラップ２４が前記直立した状態におかれたとき、例えば前記建築物の上方の階に設置されたウインチのような昇降装置（図示せず）とこれに掛けられたロープ（図示せず）とを介して昇降される。運搬かご１６の一例を図８に示す。
【００２８】
運搬かご１６は全体に上下方向に細長い直方体の形状を有し、矩形状の底板３７と、底板３７に固定され上方に伸びる互いに相対する一対の側板３８とを有する。運搬かご１６は、また、その正面及び背面をそれぞれ規定する複数（図示の例において３つ）の横棒４０、４２，４４及び複数（図示の例において３つ）の横棒４６を有する。これらの横棒のうちの上方に位置する２つの横棒４０、４６が両側板３８と共同して底板３７に相対する矩形状の頂面を規定する。前記正面を規定する上方の両横棒４０、４２間と、下方の横棒４４及び底板３７間とには、それぞれ、前記正面を規定するネット４８、５０が取り付けられている。これによれば、前記正面の側から、横棒４２、４４間を通して運搬かご１６内に荷物を差し入れ、底板３７上に載置することができる。
【００２９】
図示の例において、昇降される運搬かご１６に対して案内作用を及ぼす案内部材２８は、２つの外フラップ２２及び２つの内フラップ２４の双方が水平におかれた状態（図５、図６）で見て、各外フラップ２２の下面及び各内フラップ２４の下面に２つずつ取り付けられている。また、両フラップ２２、２４が前記直立した状態（図３、図４、図７）で見て、各外フラップ２２における２つの案内部材２８は、枠部材１８の開口２０の平面形状である前記矩形の長辺の伸長方向へ互いに間隔をおいて配置され、上下方向へ伸びている。これに対し、各内フラップ２４における２つの案内部材２８は、枠部材１８の開口２０の平面形状である前記矩形の短辺の伸長方向へ互いに間隔をおいて配置され、上下方向へ伸びている。
【００３０】
図示の例においては、一方の外フラップ２２の２つの案内部材２８と他方の外フラップ２２の２つの案内部材２８とが２つの対をなして対向し、一方の内フラップ２４の２つの案内部材２８と他方の内フラップ２２の２つの案内部材２８とが２つの対をなして対向している。図示の例に代えて、各フラップ２２、２４への案内部材２８の取り付け数量は１対又は３対とすることができる。また、案内部材２８同士をこれらが対をなして対向するように配置する図示の例に代えて、対向しないように配置し、あるいは、対向するものと対向しないものとが混在するように配置することができる。
【００３１】
各案内部材２８は、両フラップ２２、２４が前記直立した状態（図３、図４、図７）で見て、直列に配置され上下方向へ伸びる板状の一のレール２８ａ及び他のレール２８ｂからなる。一のレール２８ａは各フラップ２２、２４に固定され、各フラップ２２、２４上を上下方向へ伸びている。また、他のレール２８ｂは各フラップ２２、２４上から各フラップ２２、２４外へ下方に突出して伸びている。これにより、２つの外フラップ２２及び２つの内フラップ２４を前記直立状態においたとき、運搬かご１６に対して上下方向に関してより長い区間にわたる案内作用を及ぼすことができる。さらに、両フラップ２２、２４が前記直立した態で見て、各対の対向する案内部材２８が、互いに上方及び下方に向けて末広がりに伸びるテーパ状の上下の先端部（一のレール２８ａの先端部（上端部）２８ａ１（図３）及び他のレール２８ｂの先端部（下端部）２８ｂ１（図３））を有するものとすることができる。これにより、昇降する運搬かご１６の複数の案内部材２８間への受け入れをより容易にすることができる。
【００３２】
他のレール２８ｂは、２つの外フラップ２２及び２つの内フラップ２４を水平状態におくときの障害とならないように、一のレール２８ａに折り畳み可能に接続されている。図示の例では、他のレール２８ｂは、両レール２８ａ、２８ｂにこれらの一方の面において取り付けられた蝶番５２を介して、折り畳み可能とされている。また、折り畳まれた他のレール２８ｂは、例えば、一方のレール２８ａに取り付けられた永久磁石５４による磁気的吸着により、一方のレール２８ａと一体にすることができる。さらに、好ましくは、一のレール２８ａに対する他のレール２８ｂの直列状態の維持のために他のレール２８ｂに当接可能である補助板５６が一のレール２８ａにその他方の面において固定されている。
【符号の説明】
【００３３】
１０  養生蓋
１２  コンクリートスラブ
１４  仮の開口
１６  運搬かご
１８  枠部材
２０  開口
２２  外フラップ
２４  内フラップ
２６  支持部材
２８  案内部材
２８ａ、２８ｂ  レール
【図１】
2019124099.tif 000003
【図２】
2019124099.tif 000004
【図３】
2019124099.tif 000005
【図４】
2019124099.tif 000006
【図５】
2019124099.tif 000007
【図６】
2019124099.tif 000008
【図７】
2019124099.tif 000009
【図８】
2019124099.tif 000010